(57)【要約】【課題】  元の圧縮映像デ−タからの画質の劣化が少ない高画質な静止画像を得ることが可能な映像再生装置を提供する。 【解決手段】  静止画再生手段により静止画再生が行われているピクチャが、フレ−ム内符号化ピクチャであるか否かを特定する特定手段と、静止画再生手段により静止画再生が行われているピクチャが、フレ−ム内符号化ピクチャであると上記特定手段が特定した場合には、同ピクチャの符号化デ−タを格納する格納する一方、静止画再生手段により静止画再生が行われているピクチャが、フレ−ム内符号化ピクチャではないと特定手段が特定した場合には、同ピクチャと、同ピクチャが参照する全てのピクチャとの間の差分デ−タ、および、同ピクチャが参照するフレ−ム内符号化ピクチャの符号化デ−タを格納する格納手段を具備することを特徴とする映像再生装置。【選択図】図３
2006013914.tif 000002
【特許請求の範囲】
【請求項１】
フレ−ム内符号化を行うための映像情報であるフレ−ム内符号化ピクチャ、前方向の予測符号化を行うための映像情報であるフレ−ム間符号化ピクチャ、および、双方向の予測符号化を行うための映像情報であるフレ−ム内挿符号化ピクチャがそれぞれ所定数ずつ集まって１つの単位をなす映像情報ブロックの連続からなる映像デ−タに基づく映像信号を出力することが可能な映像再生装置において、
映像信号の再生中の所定の停止操作に基づいて、動き補償予測により、いずれかのピクチャの静止画再生を行う静止画再生手段と、
上記静止画再生手段により静止画再生が行われているピクチャが、上記フレ−ム内符号化ピクチャであるか否かを特定する特定手段と、
上記静止画再生手段により静止画再生が行われているピクチャが、上記フレ−ム内符号化ピクチャであると上記特定手段が特定した場合には、同ピクチャの符号化デ−タを記憶する一方、
上記静止画再生手段により静止画再生が行われているピクチャが、上記フレ−ム内符号化ピクチャではないと上記特定手段が特定した場合には、同ピクチャと、同ピクチャが参照する全てのピクチャとの間の差分デ−タ、および、同ピクチャが参照するフレ−ム内符号化ピクチャの符号化デ−タを記憶する記憶手段と、
上記記憶手段が記憶した符号化デ−タ、または、上記記憶手段が記憶した符号化デ−タおよび差分デ−タを外部記憶装置に送信する送信手段と
を具備することを特徴とする映像再生装置。
【請求項２】
フレ−ム内符号化を行うための映像情報であるフレ−ム内符号化ピクチャ、および、動き補償予測による予測符号化を行うための予測符号化ピクチャがそれぞれ所定数ずつ集まって１つの単位をなす映像情報ブロックの連続からなる映像デ−タに基づく映像信号を出力することが可能な映像再生装置において、
映像信号の再生中に所定の停止操作に基づいて、動き補償予測により、いずれかのピクチャの静止画再生を行う静止画再生手段と、
上記静止画再生手段により静止画再生が行われているピクチャが、上記フレ−ム内符号  化ピクチャであるか否かを特定する特定手段と、
上記静止画再生手段により静止画再生が行われているピクチャが、上記フレ−ム内符号化ピクチャであると上記特定手段が特定した場合には、同ピクチャの符号化デ−タを格納する格納する一方、
上記静止画再生手段により静止画再生が行われているピクチャが、上記フレ−ム内符号化ピクチャではないと上記特定手段が特定した場合には、同ピクチャと、同ピクチャが参照する全てのピクチャとの間の差分デ−タ、および、同ピクチャが参照するフレ−ム内符号化ピクチャの符号化デ−タを格納する格納手段を具備することを特徴とする映像再生装置。
【請求項３】
フレ−ム内符号化を行うための映像情報であるフレ−ム内符号化ピクチャ、および、動き補償予測による予測符号化を行うための予測符号化ピクチャがそれぞれ所定数ずつ集まって１つの単位をなす映像情報ブロックの連続からなる映像デ−タに基づく映像信号を出力することが可能な映像再生装置において、
映像信号の再生中に所定の停止操作に基づいて、動き補償予測により、いずれかのピクチャの静止画再生を行う静止画再生手段と、
上記静止画再生手段により静止画再生が行われているピクチャが、上記フレ−ム内符号化ピクチャであるか否かを特定する特定手段と、
上記静止画再生手段により静止画再生が行われているピクチャが、上記フレ−ム内符号化ピクチャであると上記特定手段が特定した場合には、同ピクチャの符号化デ−タを格納する一方、
上記静止画再生手段により静止画再生が行われているピクチャが、上記フレ−ム内符号化ピクチャではないと上記特定手段が特定した場合には、同ピクチャを含む上記映像情報ブロックに属する全ピクチャについて、参照関係にあるピクチャ間の差分デ−タ、および、フレ−ム内符号化ピクチャの符号化デ−タを格納する格納手段を具備することを特徴とする映像再生装置。
【請求項４】
上記記憶手段が記憶した符号化デ−タ、または、上記記憶手段が記憶した符号化デ−タおよび差分デ−タを外部記憶装置に送信する送信手段を具備することを特徴とする請求項２または３に記載の映像再生装置。
【請求項５】
上記予測符号化ピクチャは、前方向の予測符号化を行うための映像情報であるフレ−ム間符号化ピクチャ、または、双方向の予測符号化を行うための映像情報であるフレ−ム内挿符号化ピクチャであることを特徴とする請求項２〜４のいすれか１に記載の映像再生装置。
【発明の詳細な説明】
【技術分野】
【０００１】
本発明は、圧縮映像デ−タ（例えば、ＭＰＥＧデ−タ）に基づく映像を再生可能な映像再生装置に関するものである。
【背景技術】
【０００２】
カラ−動画の圧縮伸長の国際標準規格であるＭＰＥＧ（Moving Picture Experts Group）は、コンピュ−タ、通信、エンタ−テイメント等への応用が急速に拡大している。例えば、ＭＰＥＧ１は、ＣＤ−ＲＯＭ等のメディアに用いられ、また、ＭＰＥＧ２は、ＤＶＤ等のメディアの他、デジタル放送にも用いられている。
【０００３】
以下、ＭＰＥＧにおける映像デ−タの配列構造（ビットストリ−ム）について、図５を用いて説明する。同図に示すように、ＭＰＥＧの映像デ−タの配列構造は、階層構造を成している。一のビデオプログラム全体を示すシ−ケンス１は、所定数のフレ−ムを構成する映像情報ブロックであるＧＯＰ（Group Of Picture）２により構成されており、ＧＯＰ２は、所定数のピクチャ３から構成されている。また、ピクチャ３は、一のピクチャ２を所定数のブロックに分割したスライス４から構成され、スライス４は、所定数のマクロブロック（ＭＢ）５から構成されている。さらに、このＭＢ５は、８画素×８画素のブロック６から構成されており、このＭＢ５が、ＭＰＥＧにおける符号化、すなわち、ＤＣＴ（離散コサイン変換）の最小単位となるのである。
【０００４】
ＧＯＰ２は、図６に示すように、フレ−ム内符号化を行うためのフレ−ム内符号化ピクチャ（Intra-corded Picture）（以下、Ｉピクチャという）、前方向の予測符号化を行うためのフレ−ム間符号化ピクチャ（Predictive-corded Picture）（以下、Ｐピクチャという）、および、双方向の予測符号化を行うためのフレ−ム内挿符号化ピクチャ（Bidirectionally Predictive-corded Picture）（以下、Ｂピクチャという）が混在し、予め設定された所定フレ−ム数のＩピクチャ、Ｐピクチャ、Ｂピクチャにより１つのＧＯＰ２が構成されている。同図において、矢印を用いて示したように、Ｂピクチャ７ｂ、７ｃ、７ｄについては、いずれもＩピクチャ７ａおよびＰピクチャ７ｅが参照されており、Ｐピクチャ７ｅについては、Ｉピクチャ７ａが参照されている。
【０００５】
なお、デコ−ドが行われる前のＭＰＥＧの圧縮映像デ−タ（ＭＰＥＧデ−タ）は、Ｉピクチャに関しては、同Ｉピクチャの符号化デ−タ、ＰピクチャおよびＢピクチャに関しては、同Ｐピクチャが参照するＩピクチャまたはＰピクチャとの差分デ−タとして記憶されており、デコ−ドが行われる際に、ＰピクチャおよびＢピクチャは、Ｉピクチャの符号化デ−タおよび差分デ−タを用いて作成されるのである。
【０００６】
そして、映像の再生中には、図６に示すようなＩピクチャ、Ｐピクチャ、Ｂピクチャが順次に再生されるのであるが、これらの映像情報の圧縮率は、それぞれ異なるものとなっており、Ｂピクチャの圧縮率が最も高い。このため、映像の再生中の所定の停止操作によりＢピクチャが静止画再生された場合には、画質が非常に低下したものとなってしまう。
【０００７】
従来、映像デ−タに基づく映像の再生中に、所定の停止操作に応じて静止画再生を行う際に、Ｂピクチャに基づく映像で静止した場合には、そのＢピクチャに替えて、近傍のＩピクチャに基づく画像を表示させるように構成された映像再生装置（例えば、特許文献１参照）や、所定の停止操作に応じて静止画再生を行う際に、静止したピクチャと、その近傍のピクチャとのなかで、最も高画質のピクチャを表示させるように構成された映像再生装置（例えば、特許文献２参照）が存在する。
【特許文献１】特開２０００−３０８０１６号公報
【特許文献１】特開平１０−２５７５０１号公報
【発明の開示】
【発明が解決しようとする課題】
【０００８】
しかしながら、特許文献１、２に記載の映像再生装置は、停止操作に応じて圧縮映像デ−タの展開（デコ−ド）を行い、デコ−ドされた映像デ−タ基づく静止画像が表示されるため、その画像の画質は、映像再生装置のデコ−ド機能に依存することとなり、その結果、静止画像の画質が劣化してしまうという問題があった。
【０００９】
本発明は、かかる実情に鑑み、元の圧縮映像デ−タからの画質の劣化が少ない高画質な静止画像を得ることが可能な映像再生装置を提供しようとするものである。
【課題を解決するための手段】
【００１０】
上記目的を達成するため、請求項２にかかる発明は、フレ−ム内符号化を行うための映像情報であるフレ−ム内符号化ピクチャ、および、動き補償予測による予測符号化を行うための予測符号化ピクチャがそれぞれ所定数ずつ集まって１つの単位をなす映像情報ブロックの連続からなる映像デ−タに基づく映像信号を出力することが可能な映像再生装置において、
映像信号の再生中に所定の停止操作に基づいて、動き補償予測により、いずれかのピクチャの静止画再生を行う静止画再生手段と、
上記静止画再生手段により静止画再生が行われているピクチャが、上記フレ−ム内符号化ピクチャであるか否かを特定する特定手段と、
上記静止画再生手段により静止画再生が行われているピクチャが、上記フレ−ム内符号化ピクチャであると上記特定手段が特定した場合には、同ピクチャの符号化デ−タを格納する格納する一方、
上記静止画再生手段により静止画再生が行われているピクチャが、上記フレ−ム内符号化ピクチャではないと上記特定手段が特定した場合には、同ピクチャと、同ピクチャが参照する全てのピクチャとの間の差分デ−タ、および、同ピクチャが参照するフレ−ム内符号化ピクチャの符号化デ−タを格納する格納手段を具備する構成としてある。
【００１１】
上記のように構成した請求項２において、上記静止画再生手段は、映像信号の再生中に所定の停止操作に基づいて、動き補償予測によりいずれかのピクチャの静止画再生を行う。また、上記特定手段は、上記静止画再生手段により静止画再生手段が行われているピクチャが、フレ−ム内符号化ピクチャ（Ｉピクチャ）であるか否かを特定する。
【００１２】
さらに、上記格納手段は、上記静止画再生手段により静止画再生が行われているピクチャが、上記フレ−ム内符号化ピクチャであると上記特定手段が特定した場合には、同ピクチャの符号化デ−タを格納する格納する一方、上記静止画再生手段により静止画再生が行われているピクチャが、上記フレ−ム内符号化ピクチャではない（ＰピクチャまたはＢピクチャである）と上記特定手段が特定した場合には、同ピクチャと、同ピクチャが参照する全てのピクチャとの間の差分デ−タ、および、同ピクチャが参照するフレ−ム内符号化ピクチャの符号化デ−タを格納する。静止画再生が行われているピクチャがＩピクチャである場合には、同ピクチャの符号化デ−タ（フレ−ム内符号化デ−タ）が、圧縮映像デ−タから、そのまま切り出されて格納されるため、元の圧縮映像デ−タからの画質の劣化がない。そして、同フレ−ム内符号化デ−タを処理能力の高いＰＣ（Personal Computer）等を用いて展開することにより、高画質の静止画像を得ることが可能となる。一方、静止画再生が行われているピクチャが予測符号化ピクチャ（ＰピクチャまたはＢピクチャ）である場合には、同予測符号化ピクチャと参照するピクチャとの間の差分デ−タ、および、同予測符号化ピクチャが参照するＩピクチャの符号化デ−タが、圧縮映像デ−タからそのまま切り出されて格納されるため、元の圧縮映像デ−タからの画質の劣化がない。そして、ＰＣ等を用いて、これらのデ−タに基づく高画質な静止画像を得ることが可能となる。
【００１３】
さらに、請求項３にかかる発明は、フレ−ム内符号化を行うための映像情報であるフレ−ム内符号化ピクチャ、および、動き補償予測による予測符号化を行うための予測符号化ピクチャがそれぞれ所定数ずつ集まって１つの単位をなす映像情報ブロックの連続からなる映像デ−タに基づく映像信号を出力することが可能な映像再生装置において、
映像信号の再生中に所定の停止操作に基づいて、動き補償予測により、いずれかのピクチャの静止画再生を行う静止画再生手段と、
上記静止画再生手段により静止画再生が行われているピクチャが、上記フレ−ム内符号化ピクチャであるか否かを特定する特定手段と、
上記静止画再生手段により静止画再生が行われているピクチャが、上記フレ−ム内符号化ピクチャであると上記特定手段が特定した場合には、同ピクチャの符号化デ−タを格納する一方、
上記静止画再生手段により静止画再生が行われているピクチャが、上記フレ−ム内符号化ピクチャではないと上記特定手段が特定した場合には、同ピクチャを含む上記映像情報ブロックに属する全ピクチャについて、参照関係にあるピクチャ間の差分デ−タ、および、フレ−ム内符号化ピクチャの符号化デ−タを格納する格納手段を具備する構成としてある。
【００１４】
上記のように構成した請求項３において、上記のように構成した請求項２において、上記静止画再生手段は、映像信号の再生中に所定の停止操作に基づいて、動き補償予測によりいずれかのピクチャの静止画再生を行う。また、上記特定手段は、上記静止画再生手段により静止画再生手段が行われているピクチャが、フレ−ム内符号化ピクチャ（Ｉピクチャ）であるか否かを特定する。
【００１５】
さらに、上記格納手段は、上記静止画再生手段により静止画再生が行われているピクチャが、上記フレ−ム内符号化ピクチャであると上記特定手段が特定した場合には、同ピクチャの符号化デ−タを格納する格納する一方、上記フレ−ム内符号化ピクチャではないと上記特定手段が特定した場合には、同ピクチャを含む上記映像情報ブロックに属する全ピクチャについて、参照関係にあるピクチャ間の差分デ−タ、および、フレ−ム内符号化ピクチャの符号化デ−タを格納する。静止画再生が行われているピクチャがＩピクチャである場合には、同ピクチャの符号化デ−タ（フレ−ム内符号化デ−タ）が、圧縮映像デ−タから、そのまま切り出されて格納されるため、元の圧縮映像デ−タからの画質の劣化がない。そして、同フレ−ム内符号化デ−タを処理能力の高いＰＣ等を用いて展開することにより、高画質の静止画像を得ることが可能となる。一方、静止画再生が行われているピクチャが予測符号化ピクチャ（ＰピクチャまたはＢピクチャ）である場合には、差分デ−タ、および、Ｉピクチャの符号化デ−タが、圧縮映像デ−タからそのまま切り出されて格納されるため、元の圧縮映像デ−タからの画質の劣化がない。そして、処理能力の高いＰＣ等を用いて、これらのデ−タに基づく高画質な静止画像を得ることが可能となる。
【００１６】
さらに、請求項４にかかる発明は、上記記憶手段が記憶した符号化デ−タ、または、上記記憶手段が記憶した符号化デ−タおよび差分デ−タを外部記憶装置に送信する送信手段を具備する構成としてある。
上記のように構成した請求項４において、上記格納手段により格納されたデ−タを、スマ−トメディアや、ＵＳＢメモリ等の外部記憶装置に記憶させることが可能となる。
【００１７】
さらに、請求項５にかかる発明は、上記予測符号化ピクチャは、前方向の予測符号化を行うための映像情報であるフレ−ム間符号化ピクチャ、または、双方向の予測符号化を行うための映像情報であるフレ−ム内挿符号化ピクチャである構成としてある。
上記のように構成した請求項５において、ＰピクチャまたはＢピクチャの符号化デ−タと、同ピクチャに関係する差分デ−タとを、圧縮映像デ−タから切り出して格納することが可能となる。
【発明の効果】
【００１８】
本発明の請求項２および請求項３にかかる発明では、元の圧縮映像デ−タからの画質の劣化が少ない高画質な静止画像を得ることが可能となる。
請求項４にかかる発明では、格納されたデ−タを、外部記憶装置に記憶させることが可能となる。
請求項５にかかる発明では、ＰピクチャまたはＢピクチャの符号化デ−タと、同ピクチャに関係する差分デ−タとを、圧縮映像デ−タから切り出して格納することが可能となる。
【発明を実施するための最良の形態】
【００１９】
以下、本発明の実施形態について説明する。なお、以下においては、本発明の映像再生装置が、デジタルの放送信号に基づく映像信号を出力可能なテレビジョン受信チュ−ナである場合について説明するが、本発明の映像再生装置は、これに限定されるものではなく、例えば、ＭＰＥＧデ−タが記憶されたＤＶＤに基づく映像を再生可能なＤＶＤプレ−ヤ等であってもよい。
【００２０】
図１は、本発明にかかるテレビジョン受信チュ−ナを備えたテレビジョン受信システムの概略構成を示している。同図において、テレビジョン受信チュ−ナ２０は、アンテナ１０からの周波信号を入力するチュ−ナ部２２を備えている。チュ−ナ部２２は、いわゆるシンセサイザ方式のチュ−ナの構成とされ、選局制御信号としてＰＬＬデータ、すなわち、ＰＬＬル−プにおける可変分周回路の分周比のデ−タがチュ−ナ部２２に与えられる。また、チュ−ナ部２２では、ＣＰＵ２８ａからの選局制御信号としてのＰＬＬデータを受けて、入力された周波信号から所望の周波数帯の周波信号を抽出することにより、複数の受信チャンネルのなかから一つの受信チャンネルを選択する。ＣＰＵ２８ａは、チュ−ナ部２２における周波数のずれを検出し、この検出結果に基づいてＡＦＴ電圧をチュ−ナ部２２に供給する。そして、チュ−ナ部２２がＡＦＴ電圧に応じて、抽出する周波数帯を補正することにより、最適な選局が行われるようになっている。
【００２１】
チュ−ナ部２２からの出力は、デジタル再生部２３に供給される。すなわち、本実施形態にかかるテレビジョン受信チュ−ナ２０は、デジタル放送を再生することが可能となっている。デジタル再生部２３は、デジタルＩ／Ｆ２３ａと復調回路２３ｂとデスクランブル部２３ｃとデマルチプレックス部２３ｄとＭＰＥＧデコーダ２３ｇとから構成されている。チューナ部２２から周波信号が入力されるデジタルＩ／Ｆ２３ａにはＡ／Ｄコンバータが備えられており、このデジタルＩ／Ｆ２３ａから信号の供給を受ける復調部には、チャンネルイコライザ、エラー訂正デコード部等も備えられている。 
【００２２】
すなわち、デジタルＩ／Ｆ２３ａと復調回路２３ｂは、チューナ部２２から入力される周波信号をデジタル信号に変換するとともに、ＣＰＵ２８ａからの制御情報に基づいてデジタル復調した信号に対していわゆるゴーストキャンセルを行う。さらに、デジタルＩ／Ｆ２３ａと復調回路２３ｂは、伝送路上で発生したビット誤りを訂正し、トランスポートストリーム（ＴＳ）出力を得る。なお、以上の処理において復調回路２３ｂは、全体のデータに対する上記ビット誤りの割合をビットエラーレートとして検出している。 
【００２３】
また、復調回路２３ｂにて復調およびエラー訂正処理を行うことにより得られたトランスポートストリームはデスクランブル部２３ｃに供給される。トランスポートストリームは、通常、スクランブルがかかっているため、このままでは適正に映像・音声を再生することはできない。そこで、デスクランブル部２３ｃがトランスポートストリームに対してデ・スクランブル処理を行うことにより、トランスポートストリームを再生可能なデータ配列に復元する。デ・スクランブル処理が行われたトランスポートストリームは、映像信号や音声信号や文字情報等が多重化された形式となっており、デマルチプレックス部２３ｄに供給される。デマルチプレックス部２３ｄでは入力されたデータに対してデ・マルチプレックス処理を行う。すなわち、ここで多重化が解除される。なお、デスクランブル部２３ｃとデマルチプレックス部２３ｄとはそれぞれの処理を行う際にワークエリアとしてＤＲＡＭ２３ｅを利用することが可能である。 
【００２４】
デ・マルチプレックス処理にて多重化が解除されると、映像信号および音声信号が所定の方式により圧縮されたＭＰＥＧデータと、例えば番組に関する文字情報といった映像信号や音声信号以外のデータに分離され、後者のデータはＣＰＵ２８ａに供給される。一方、前者のＭＰＥＧデータはＭＰＥＧデコーダ２３ｇに供給され、同ＭＰＥＧデコーダ２３ｇにて圧縮解凍処理、つまりＭＰＥＧデコード処理が行われる。ＭＰＥＧデータをＭＰＥＧデコード処理することにより、デジタル映像信号とデジタル音声信号とが生成され、同生成されたデジタル映像信号はさらにアナログの映像信号に変換される。
【００２５】
ＭＰＥＧデコ−ダ２３ｇは、ＯＳＤ処理部２３ｈを備えており、映像に所定の静止画面を重ねて表示したり、所定の静止画像を差し替えて表示するなどの処理も行うことができるようにされている。ＯＳＤ処理部２３ｈは、受信された文字情報等のデ−タをＣＰＵ２８ａから入力し、同文字情報等のデ−タに基づいて静止画像を生成することが可能となっている。 
【００２６】
なお、ＭＰＥＧデコ−ダ２３ｇは、ＭＰＥＧデコ−ド処理やＯＳＤ処理を行う際に、ワ−クエリアとしてＤＲＡＭ２３ｆを利用することが可能である。このＤＲＡＭ２３ｆには、デ・マルチプレックス部２３ｄにより多重化が解除されたＭＰＥＧデ−タ２３ｆ１と、ＭＰＥＧデコ−ダ２３ｇによるデコ−ド処理が行われることにより作成されたＩピクチャ、Ｐピクチャ、Ｂピクチャの各ピクチャ２３ｆ２とが、順次記憶される。そして、デジタル放送に基づく映像の再生中に、所定の停止操作があったときには、そのタイミングでピクチャ２３ｆに基づく静止画像の再生が行われるのである。ＭＰＥＧデコ−ダ２３ｇにより圧縮解凍・アナログ変換された映像信号は、映像出力部２６に供給され、同映像出力部２６にて同映像信号がテレビジョン３０に出力される。テレビジョン３０に対してアナログ映像信号を出力する方式としては、コンポジット出力やＳーＶｉｄｅｏ出力等の各種方式を採用することができる。 
【００２７】
一方、ＭＰＥＧデコード処理により生成された音声信号は、Ｄ／Ａ変換部２５に入力され、同Ｄ／Ａ変換部２５にてアナログ音声信号に変換される。このアナログ音声信号は音声出力部２７に入力され、同音声出力部２７からテレビジョン３０に出力される。ただし、テレビジョン３０がオプティカル入力端子等を備え、デジタル音声信号を受け付けることができれば、Ｄ／Ａ変換部２５を介することなくデジタル音声信号をそのままテレビジョン３０に出力させても良い。 
【００２８】
上述したＣＰＵ２８ａはバス２９に接続されており、バス２９に接続されたＲＡＭ２８ｂをワークエリアとしながら、当該テレビジョン受信チュ−ナ２０の各種機能を実現するための制御処理を実行する。この制御処理を実行するプログラムは、予めＲＯＭ２８ｃに格納されており、ＣＰＵ２８ａは、適宜ＲＯＭ２８ｃから所定のプログラムをＲＡＭ２８ｂに読み込みつつ制御処理を実行することになる。また、バス２９には書き換え可能なＥＥＰＲＯＭ２８ｄが備えられており、ＣＰＵ２８ａはＥＥＰＲＯＭ２８ｄに記憶された各種データを使用して制御処理を実行する。 
【００２９】
ＥＥＰＲＯＭ２８ｄには、選局デ−タ２８ｄ１が記憶されている。この選局デ−タ２８ｄ１は、リモコン４０等からの受信チャンネルの選局指示に基づいて、チュ−ナ部２２が受信する周波数帯を選択するためのものである。また、ＥＥＰＲＯＭ２８ｄには、上述したＯＳＤ処理部にＯＳＤ処理を行わせるためのＯＳＤデ−タ２８ｄ２が記憶されている。
【００３０】
さらに、ＥＥＰＲＯＭ２８ｄには、ＭＰＥＧデ−タ２８ｄ３が記憶されている。このＭＰＥＧデ−タ２８ｄ３は、所定の停止操作に基づく静止画再生が行われているときに、リモコン４０等による所定の指示に基づいて、ＤＲＡＭ２３ｆからＥＥＰＲＯＭ２８ｄに格納されるものであり、再生されている静止画像に対応するＭＰＥＧデ−タである。このＭＰＥＧデ−タの格納については、後に詳述する。
【００３１】
バス２９にはリモコンＩ／Ｆ２８ｅが接続されており、外部機器としてのリモコン４０から出力される赤外線明滅信号を入力可能になっている。この赤外線明滅信号は、バス２９を介してＣＰＵ２８ａに送出され、ＣＰＵ２８ａは対応する制御処理を実行する。また、バス２９には外部機器とケ−ブルを介して接続するためのバスＩ／Ｆ２８ｆが接続されている。さらに、バス２９には、ＵＳＢＩ／Ｆ２８ｇが接続されており、外部記憶装置としてのＵＳＢメモリ２８ｈにデ−タを記憶させることが可能である。本実施形態にかかるテレビジョン受信チュ−ナ２０では、リモコン４０等により所定の操作に基づいて、ＥＥＰＲＯＭ２８ｄに格納されているＭＰＥＧデ−タ２８ｄ３を、ＵＳＢメモリ２８ｈに送信することが可能となっている。
【００３２】
次に、図１に示したテレビジョン受信チュ−ナ２０において実行されるメイン処理の流れを、図２に示すフロ−チャ−トに基づいて説明する。まず、ステップＳ１００において、初期設定を行う。この処理において、ＣＰＵ２８ａ内のレジスタ、ＲＡＭ２８ｂのクリア、ＥＥＰＲＯＭ２８ｄからの白バランス調整用の設定デ−タの読み出し等の初期設定にかかる処理を行う。
【００３３】
次に、ステップＳ１１０において、映像信号制御処理を行う。この処理において、ＣＰＵ２８ａは、ＥＥＰＲＯＭ２８ｄに記憶されている現在のチャンネル番号に基づいて、テレビジョン受信チュ−ナ２０を構成する各部、各回路を主導的に制御し、同チャンネル番号に対応するテレビ映像をテレビジョン３０に表示させる処理を実行する。
【００３４】
次に、ステップＳ１２０において、チャンネル変更の指示があったか否かを特定する。すなわち、リモコン４０の操作等により、受信チャンネルの変更指示の入力があったか否かを特定する。チャンネル変更の指示があった場合には、ステップＳ１３０において、変更指示があった受信チャンネルに対応する周波数帯を特定し、その周波数に対応するＰＬＬデータをチュ−ナ部２２に与えることにより、受信チャンネルを変更する処理を行う。
【００３５】
ステップＳ１３０の処理を実行するか、または、ステップＳ１２０においてチャンネル変更指示がなかったと特定した場合、次に、ステップＳ１４０において、停止操作があったか否かを特定する。この処理において、デジタル放送信号に基づく映像の再生中に、リモコン４０の操作等による停止指示の入力があったか否かを特定する。停止操作があった場合には、ステップＳ１５０において、ＭＰＥＧデ−タ格納処理を行う。このＭＰＥＧデ−タ格納処理については、後に図面（図３）を用いて詳述する。
【００３６】
ステップＳ１５０の処理を実行するか、または、ステップＳ１４０において停止操作がなかったと特定した場合、次に、ステップＳ１６０において、テレビジョン受信チュ−ナ２０の電源をＯＦＦにする旨の指示の入力があったか否かを特定する。テレビジョン受信チュ−ナ２０の電源をＯＦＦにする旨の指示の入力がなかった場合には処理をステップＳ１１０に戻し、指示の入力があった場合にはメイン処理を終了させる。
【００３７】
次に、図２に示したフロ−チャ−トのステップＳ１５０において呼び出されて実行されるＭＰＥＧデ−タ格納処理の流れを図３に基づいて説明する。まず、ステップＳ２００において静止画再生処理を行う。この処理において、図２に示したフロ−チャ−トのステップＳ１４０において停止操作があったタイミングで、静止画像を再生する処理を行う。
【００３８】
次に、ステップＳ２１０において、ＭＰＥＧデ−タの格納指示があったか否かを特定する。この処理において、リモコン４０等の操作により、ステップＳ２００において再生が行われている静止画像にかかるＭＰＥＧデ−タの格納を行う旨の指示の入力があったか否かを特定する。ＭＰＥＧデ−タの格納指示がなかった場合には、ＭＰＥＧ格納処理を終了させる。
【００３９】
一方、ステップＳ２１０において、ＭＰＥＧデ−タの格納指示があったと特定した場合には、ステップＳ２２０において、停止操作があったときにＩピクチャで静止したか否かを特定する。すなわち、再生されている静止画像が、Ｉピクチャに基づく画像であるか否かを特定する。Ｉピクチャで静止したと判断した場合には、ステップＳ２３０において、Ｉピクチャの符号化デ−タを格納する処理を実行する。この処理において、再生されている静止画像にかかるＩピクチャの符号化デ−タを、ＤＲＡＭ２３ｆからＥＥＰＲＯＭ２８ｄに格納させる処理を行う。例えば、図６において、静止画像にかかるＩピクチャがＩピクチャ７ａであった場合には、ＤＲＡＭ２３ｆに記憶されているＭＰＥＧデ−タのうち、Ｉピクチャ７ａの符号化デ−タを切り出してＥＥＰＲＯＭ２８ｄに格納させる。
【００４０】
一方、ステップＳ２２０において、Ｉピクチャで静止していない（ＰピクチャまたはＢピクチャである）と特定した場合には、ステップＳ２４０において、再生されている静止画像にかかるＰピクチャまたはＢピクチャが参照するＩピクチャの符号化デ−タ、および、参照するＩピクチャまたはＰピクチャとの差分デ−タをＤＲＡＭ２３ｆからＥＥＰＲＯＭ２８ｄに格納させる処理を行う。例えば、図６において、静止画像にかかるＰピクチャがＰピクチャ７ｅであった場合には、ＤＲＡＭ２３ｆに記憶されているＭＰＥＧデ−タのうち、Ｐピクチャ７ｅが参照しているＩピクチャ７ａの符号化デ−タ、および、Ｉピクチャ７ａとＰピクチャ７ｅとの差分デ−タを切り出してＥＥＰＲＯＭ２８ｄに格納させる。また、例えば、図６において、静止画像にかかるＢピクチャがＢピクチャ７ｃであった場合には、ＤＲＡＭ２３ｆに記憶されているＭＰＥＧデ−タのうち、Ｂピクチャ７ｃが参照しているＩピクチャ７ａの符号化デ−タ、Ｉピクチャ７ａとＢピクチャ７ｃとの差分デ−タ、および、Ｂピクチャ７ｃが参照しているＰピクチャ７ｅとＢピクチャ７ｃとの差分デ−タを切り出してＥＥＰＲＯＭ２８ｄに格納させる。
【００４１】
ステップＳ２３０またはステップＳ２４０の処理を実行した場合、次に、ステップＳ２５０において、ＭＰＥＧデ−タの送信指示があったか否かを特定する。この処理において、ステップＳ２３０またはステップＳ２４０においてＥＥＰＲＯＭ２８ｄに格納されたＭＰＥＧデ−タを、ＵＳＢメモリ２８ｈに送信する旨の指示の入力があったか否かを特定する。ステップＳ２５０においてＭＰＥＧデ−タの送信指示があったと特定した場合には、ステップＳ２６０において、ＥＥＰＲＯＭ２８ｄに格納されているＭＰＥＧデ−タをＵＳＢ２８ｈに送信する処理を行う一方、ＭＰＥＧデ−タの送信指示がなかったと判断した場合には、ＭＰＥＧデ−タ格納処理を終了させる。
【００４２】
次に、図２に示したメイン処理が行われるときの具体例を説明する。まず、初期設定にかかる処理が行われ（ステップＳ１００）、その後、現在の受信チャンネルに対応するテレビジョン映像がテレビジョン３０に表示される（ステップＳ１１０）。そして、テレビ映像の表示中にチャンネル変更の指示があるか否かが特定され（ステップＳ１２０）、指示があったと特定された場合には、受信チャンネルを変更させる（ステップＳ１３０）。また、テレビ映像の表示中に映像の停止操作があったか否かが特定され（ステップＳ１４０）、停止操作があったと特定された場合には、ＭＰＥＧデ−タ格納処理が行われる（ステップＳ１５０）。
【００４３】
ＭＰＥＧデ−タ格納処理では、まず、停止操作があったときのタイミングで静止画像の再生を行う（ステップＳ２００）。そして、静止画像の再生中にＭＰＥＧデ−タの格納指示があったか否かを特定し（ステップＳ２１０）、格納指示があったと特定した場合には、再生中の静止画像がＩピクチャに基づくものであるか否かを特定する（ステップＳ２２０）。再生中の静止画像がＩピクチャに基づくものであると特定された場合には、そのＩピクチャの符号化デ−タを切り出してＥＥＰＲＯＭ２８ｄに格納させる（ステップＳ２３０）。また、再生中の静止画像がＰピクチャまたはＢピクチャに基づくものであると特定された場合には、参照するＩピクチャの符号化デ−タと、差分デ−タとを切り出してＥＥＰＲＯＭ２８ｄに格納させる（ステップＳ２４０）。そして、格納されたＭＰＥＧデ−タをＵＳＢメモリ２８ｈに送信する旨の指示があったか否かを特定し（ステップＳ２５０）、指示があった場合には、ＵＳＢメモリ２８ｈにＭＰＥＧデ−タを送信する。
【００４４】
図３では、再生中の静止画像にかかるピクチャが、ＰピクチャまたはＢピクチャである場合には、ステップＳ２４０において、同ピクチャが参照するＩピクチャの符号化デ−タ、および、同ピクチャが参照するピクチャとの差分デ−タがＥＥＰＲＯＭ２８ｄに格納される場合について説明したが、本発明では、図４に示すように、再生中の静止画像のかかるピクチャが、ＰピクチャまたはＢピクチャである場合には、ステップＳ３４０において、同ピクチャを含むＧＯＰ２における全ピクチャについて、参照関係にあるピクチャ間の差分デ−タ、および、ＧＯＰ２に含まれるＩピクチャの符号化デ−タをＥＥＰＲＯＭ２８ｄに格納するようにしてもよい。
【００４５】
以上説明したように、本発明によれば、元の圧縮映像デ−タからの画質の劣化が少ない高画質な静止画像を得ることが可能な映像再生装置を提供することが可能となる。
【図面の簡単な説明】
【００４６】
【図１】テレビジョン受信システムの構成を示すブロック図である。
【図２】メイン処理を示すフロ−チャ−トである。
【図３】図２に示したフロ−チャ−トのステップＳ１５０において呼び出されて実行されるＭＰＥＧデ−タ格納処理を示すフロ−チャ−トである。
【図４】図２に示したフロ−チャ−トのステップＳ１５０において呼び出されて実行されるＭＰＥＧデ−タ格納処理の別例を示すフロ−チャ−トである。
【図５】ＭＰＥＧにおける映像デ−タの配列構造を示す概念図である。
【図６】ＧＯＰの構成を示す概念図である。
【符号の説明】
【００４７】
１…シ−ケンス
２…ＧＯＰ
３…ピクチャ
４…スライス
５…マクロブロック
６…ブロック
７ａ…Ｉピクチャ
７ｂ〜７ｄ…Ｂピクチャ
７ｅ…Ｐピクチャ
１０…アンテナ
２０…テレビジョン受信チュ−ナ
２２…チュ−ナ部
２３…デジタル再生部
２３ａ…デジタルＩ／Ｆ
２８ａ…ＣＰＵ
２８ｂ…ＲＡＭ
２８ｄ…ＥＥＰＲＯＭ
２８ｈ…ＵＳＢメモリ
３０…テレビジョン
４０…リモコン
【図１】
2006013914.tif 000003
【図２】
2006013914.tif 000004
【図３】
2006013914.tif 000005
【図４】
2006013914.tif 000006
【図５】
2006013914.tif 000007
【図６】
2006013914.tif 000008